(57)【要約】【課題】  従来の一人用立ち乗り式ゴルフカートでは一名のプレイヤーしかカートに乗れず、他のプレイヤーは歩いて移動をしなければならなかった。【解決手段】  本件出願の椅子は、プレイヤーが座ることのできる座板の下に、カートに装備されている搭載台の下方支持部に脱着可能な下方セット部と、前記座板の後ろ斜め上方に前記搭載台の上方支持部に脱着可能な上方セット部を設けてある。本件出願の足台は、カートに装備されている搭載台の下方支持部に脱着可能な係止部と、前記搭載台にセットされた椅子に座ったプレイヤーが足をのせることができるように前記係止部の前方に突出する足のせ部を設けてある。本件出願のカートは、通常のカートに前記椅子及び足台を取り付けてなるものである。また、足台を省略することもできる。【選択図】図４
2007229153.tif 000002
【特許請求の範囲】
【請求項１】
人が座ることのできる座板の下に、ゴルフカートに装備されているキャディーバッグ搭載台の下方支持部に脱着可能な下方セット部と、前記座板の後ろ斜め上方に前記キャディーバッグ搭載台の上方支持部に脱着可能な上方セット部が夫々設けられたことを特徴とするゴルフカート用椅子。
【請求項２】
ゴルフカートに装備されているキャディーバッグ搭載台の下方支持部に脱着可能な係止部と、前記キャディーバッグ搭載台にセットされた椅子に座った人が足をのせることができるように前記係止部の前方に突出する足のせ部を備えたことを特徴とするゴルフカート用足台。
【請求項３】
請求項１記載のゴルフカート用椅子の下方セット部がゴルフカートに装備されているキャディーバッグ搭載台の下方支持部に装備され、上方セット部が前記キャディーバッグ搭載台の上方支持部に装備されて、前記ゴルフカート用椅子が前記下方支持部の上に搭載されたことを特徴とするゴルフカート。
【請求項４】
請求項３記載のゴルフカートにおいて、請求項２記載のゴルフカート用足台の係止部がゴルフカートの下方支持部に装備され、そのゴルフカート用足台の足のせ部がゴルフカートのキャディーバッグ搭載台に装備されたゴルフカート用椅子に座った人が両足をのせることができるように係止部の前方に突設されたことを特徴とするゴルフカート。
【発明の詳細な説明】
【技術分野】
【０００１】
本発明はキャディーバッグを搭載するゴルフカート、特に、一人用立ち乗り式ゴルフカートにセットしてプレイヤーが座ることができるようにしたゴルフカート用椅子と、その椅子に座った人が足を乗せることができるようにゴルフカートにセットできるゴルフカート用足台と、前記ゴルフカート用椅子及びゴルフカート用足台が装備されたゴルフカートに関するものである。
【背景技術】
【０００２】
従来、一人用立ち乗り式ゴルフカート（図３〜５参照）１は車体２の上に装備されているキャディーバッグ搭載台３の下方支持部４の上にキャディーバッグ５の底部６をのせ、上方支持部７の上にキャディーバッグ５の上部８をのせて四つのキャディーバッグを横一列に並べ、上方支持部７から四つのキャディーバッグの外周にベルト（図示しない）を巻いて四つのキャディーバッグを一括して縛り、車体２後部の運転席９にキャディーが乗って運転し、走行できるようにしてある。この場合、プレイヤーは歩いて移動する。
【発明の開示】
【発明が解決しようとする課題】
【０００３】
近年はキャディーを付けずにプレイヤーが二人でセルフプレイするスタイルが人気を集めている。その場合、従来の一人用立ち乗り式ゴルフカートでは一方のプレイヤーしか乗ることができないため他のプレイヤーは歩くことになる。
【課題を解決するための手段】
【０００４】
本発明は従来の一人用立ち乗り式ゴルフカート（以下単に「カート」と記す。）を使用して二人でセルフプレイする場合に、カートのキャディーバッグ搭載台（以下単に「搭載台」という。）に二つのキャディーバッグ（以下単に「バッグ」と記す。）しかのせず、その搭載台にできたスペースにセットしてプレイヤーが座ることができるようにしたゴルフカート用椅子（以下単に「椅子」と記す。）とゴルフカート用足台（以下単に「足台」と記す。）と、それら椅子と足台を装備（セット）したゴルフカートを提供するものである。
【０００５】
本件出願の椅子は、請求項１記載のように、人（説明の便宜上、以下「プレイヤー」と記す。）が座ることのできる座板の下に、カートに装備されている搭載台の下方支持部に脱着可能な下方セット部と、前記座板の後ろ斜め上方に前記搭載台の上方支持部に脱着可能な上方セット部を夫々設けてある。
【０００６】
本件出願の足台は、請求項２記載のように、カートに装備されている搭載台の下方支持部に脱着可能な係止部と、前記搭載台にセットされた椅子に座ったプレイヤーが足をのせることができるように前記係止部の前方に突出する足のせ部を設けてある。
【０００７】
本件出願のカートは、請求項３記載のように、請求項１記載の椅子の下方セット部をカートに装備されている搭載台の下方支持部に装備し、上方セット部を前記搭載台の上支持部に装備して、前記椅子を前記下方支持部の上に搭載した。この場合、請求項４記載のように、請求項２記載の足台の係止部をカートの下方支持部に装備し、カートの搭載台に装備された椅子に座ったプレイヤーが両足をのせることができるように足台の足のせ部を係止部の前方に突設することもできる。
【発明の効果】
【０００８】
本件出願の請求項１記載の椅子は次のような効果がある。
（１）四つのバッグを載せることのできる搭載台に二つのバッグしかのせず、搭載台にできた空間に本発明の椅子をセットすれば、一人のプレイヤーが運転席に乗ってカートを運転し、他のプレイヤーが椅子に座ることができるため、二人ともカートに乗って移動することができ、スピーディーに、快適にゴルフを楽しむことができる。
（２）椅子はカートに脱着自在であるため、椅子を取外せば従来通り四つのバッグを搭載可能なカートとして使用することができる。
【０００９】
本件出願の請求項２記載の足台は次のような効果がある。
（１）本発明の足台をカートにセットすれば、椅子に座ったプレイヤーが足台に足をのせることができるため、椅子に安定して座ることができ、カートを安全走行させることができる。
（２）足台もカートに脱着自在であるため、不要時には取外して通常のカートとして使用することができる。
【００１０】
本件出願の請求項３記載のカートは椅子が装備されているため、前記効果に加えて、二人プレイの場合はカートをそのまま使用して二人乗りでプレイすることができ、四人プレイの場合は椅子を取外して四つのバッグを搭載できるようにすることができる、という効果もある。
【００１１】
本件出願の請求項４記載のカートは椅子と足台の双方が装備されているため、前記効果に加えて、椅子に座ったプレイヤーが安定し、安全走行可能となる、という効果もある。
【発明を実施するための最良の形態】
【００１２】
（ゴルフカート用椅子の実施形態１）
本発明のゴルフカート用椅子の実施形態の一例を図１〜図５に基づいて説明する。この実施形態の椅子１０は図５に示すように一人用立ち乗り式ゴルフカート１に装備可能な椅子である。カート１には図５に示すように後方にキャディーが立って乗る運転席９を、その前方にハンドル１１を、その横にパターを入れるパターケース１２を、ボディカバー１３の前方にバッグ５の底部６を支持する下方支持部４を、ボディカバー１３の上方にバッグ５の上部８を支持する上方支持部７を備えている。下方支持部４は図３に示すように数本の丸棒、丸パイプを組み合わせて四つのバッグ５の底部６を横に並べて支持できる横長の枠状に形成され、前方から後方に下り傾斜に形成されている。上方支持部７は四つのバッグ５を横一例に並べて支持できる横長板状に形成されている。
【００１３】
本発明の椅子１０はプレイヤーが座ることのできる座板２０（図１）と、座板２０の下方に設けられた下方セット部２１（図１）と、座板２０の後方に設けた背凭れ２２（図１）と、背凭れ２２の後ろ斜め上方に設けられた上方セット部２３と、座板２０の両側方に設けられた肘掛２４を備えている。座板２０は図５に示すようにプレイヤーが一人座ることのできるサイズに形成された四角形であり、硬質材製の基板の上にクッション材が配置され、それらが被覆材２５でカバーされている。背凭れ２２は座板２０の後ろから上方に立ち上げた二本の縦アーム２６の上部に取り付けられており、硬質材製の基板の前面にクッション材が配置され、それらが被覆材２７でカバーされている。
【００１４】
前記下方セット部２１は図１、図２に示すように前方取り付け具３０と後方取り付け具３１を備えており、前方取り付け具３０は断面コ字型の板状部材であって、座板２０の底面に直接固定して後方開口のＬ字状とすることにより、図４のようにカート１の下方支持部４の前バー３２に前方から係止できるようにしてある。後方取り付け具３１は下向きＬ字状であり、座板２０の後部底面から下方に突出している支持脚３３に固定して、図４のようにカート１の下方支持部４の後バー３４に上方から押して係止できるようにしてある。前記支持脚３３は図４のようにカート１の下方支持部４に支持された座板２０の前方と後方を水平に保持するためのものである。
【００１５】
前記上方セット部２３はその下端が、背凭れ取り付け用の二本の縦アーム２６に固定された背面板３５に固定されて、上端が後ろ斜め上方に立設された保持アーム３６の上部に設けられている。この上方セット部２３はカート１の上方支持部７に前方から係止可能な背面開口のコ字型の嵌合部３７と、背面開口部を開閉可能な蓋３８と、蓋３８を嵌合部３７に固定できる固定具３９を備えている。蓋３８は嵌合部３７に蝶番で取り付けられて、図１に仮想線で示すように自重で垂れ下がり、手で持ち上げると図１に実線で示すように嵌合部３７の開口面を閉塞してその内側にセットされている上方支持部７を閉塞でき、その状態で固定具３９により嵌合部３７に固定すると上方セット部２３が上方支持部７に固定されるようにしてある。
【００１６】
（ゴルフカート用椅子の使用例）
本実施形態の椅子１０を使用するには、例えば、図５のようにバッグ５をカート１の搭載部３の下方支持部４と上方支持部７の左右両端にだけのせて中央部にはのせずに空間にしておき、その空間に本発明の椅子１０をセットする。この場合、図３〜図５に示すように、下方セット部２１の前方取り付け具３０を下方支持部４の前バー３２に上から係止し、後方取り付け具３１を下方支持部４の後バー３４に前方から押して被せ、上方セット部２３を上方支持部７にその前方から被せ、蓋３８を閉じて固定具３９により嵌合部３７に固定してカート１に取り付ける。この椅子１０に一人のプレイヤーが着座し、他の一人のプレイヤーが運転席９に乗ってカート１を運転して走行することができる。
【００１７】
（ゴルフカート用椅子の他の実施形態）
本発明のゴルフカート用椅子及び各部品の形状、サイズ、構造等は前記したものに限られず、ゴルフカートの形状、構造、大きさ等に応じて任意とすることができる。
【００１８】
（ゴルフカート用足台の実施形態１）
本発明のゴルフカート用足台４０は図４のようにカート１の前に取り付けて図５のように椅子１０に座ったプレイヤーが足をのせるためのものであり、図６のように二本の縦パイプ４１の下部間に板材４２が配置固定され、二本の縦パイプ４１の上部に下向きＵ字状の係止部４３が形成され、前記板材４２の前面から前方斜め上方に支持具４４が突設され、その先端部にアーム４５が連結回動軸４６により図６の矢印Ａ−Ｂ方向に回動可能に連結され、矢印Ｂ方向に回動させると図７のように支持具４４の先方へ突設されている支持片４７に取り付けられているネジ４８の頭部４９に支持されてそれ以上は下に回動せずにその位置に保持されるようにしてある。前記アーム４５の先端部には足のせ部５０が横向きに架設されている。足のせ部５０は横長バー５１の両端に形成されており、ゴム製であり、その表面に滑り止め溝５２が形成されている。
【００１９】
（ゴルフカート用足台の使用例）
図６の足台４０を使用するには、図４のようにＵ字状の係止部４３をカート１の下方支持部４の前方下バー５３に上方から係止してアーム４５を前方に回動させる。この状態で図５のように椅子１０に座ったプレイヤーが足をのせることができる。
【００２０】
（ゴルフカート用足台の他の実施形態）
本発明のゴルフカート用足台及び各部品の形状、大きさ、構造等は、前記したものには限られず、ゴルフカートの形状、構造、大きさ等に応じて、任意とすることができる。従って、例えば、横長バーに代えて板状のものを用い、足のせ部分を広くすることもできる。
【００２１】
（ゴルフカートの実施形態１）
本発明のゴルフカートの実施形態の一例を図３〜図５に基づいて説明する。このゴルフカートは通常のカート１に前記椅子１０と前記足台４０を脱着式に或は固定式に装備したものであり、図５のようにバッグ５をカート１の搭載部３の下方支持部４と上方支持部７の左右両端にだけのせて中央部にはのせずに空間にしておき、その空間に本発明の椅子１０を装備してある。この場合、前方取り付け具３０を下方支持部４の前バー３２に係止し、後方取り付け具３１を下方支持部４の後バー３４に係止し上方セット部２３を上方支持部７に固定してカート１に取り付けてある。また、その椅子１０の前方に足台４０を装備してある。足台４０は係止部４３をカート１の下方支持部４の前方下バー５３に上方から係止してカート１に取り付けてある。
【００２２】
本発明のゴルフカートは椅子１０に一人のプレイヤーが座り、運転席９に他の一人のプレイヤーが乗って運転して使用することができる。
【００２３】
本実施形態のゴルフカートも椅子１０及び足台４０を取外せば、下方支持部４及び上方支持部７にバッグ５を四つ横並びに搭載することができる。
【００２４】
（ゴルフカートの実施形態２）
本発明のゴルフカートは足台を装備せずにゴルフカート用椅子１０のみを装備することもできる。
【産業上の利用可能性】
【００２５】
本発明のゴルフカート用椅子及びゴルフカート用足台は、一人用の立ち乗り式のゴルフカートに限られず、運転席のない電動式ゴルフカートに使用したり、他のゴルフカートに使用したりすることもできる。
【図面の簡単な説明】
【００２６】
【図１】本発明のゴルフカート用椅子の実施形態の一例を示す斜視図。
【図２】図１に示すゴルフカート用椅子を示す側面図。
【図３】本発明のゴルフカート用椅子及びゴルフカート用足台を一人用立ち乗り式ゴルフカートに装備させる様子を示す斜視説明図。
【図４】本発明のゴルフカートの実施形態の一例を示す斜視図。
【図５】本発明のゴルフカートの使用中の様子を示す斜視図。
【図６】本発明のゴルフカート用足台の実施形態の一例を示す斜視図。
【図７】図６に示すゴルフカート用足台を示す側面図。
【符号の説明】
【００２７】
１  ゴルフカート
２  車体
３  キャディーバッグ搭載台
４  下方支持部
５  キャディーバッグ
６  キャディーバッグの底部
７  上方支持部
８  キャディーバッグの上部
９  運転席
１０  ゴルフカート用椅子
２０  座板
２１  下方セット部
２２  背凭れ
２３  上方セット部
２４  肘掛
３０  前方取り付け具
３１  後方取り付け具
４０  足台
４５  アーム
５０  足のせ部
【図１】
2007229153.tif 000003
【図２】
2007229153.tif 000004
【図３】
2007229153.tif 000005
【図４】
2007229153.tif 000006
【図５】
2007229153.tif 000007
【図６】
2007229153.tif 000008
【図７】
2007229153.tif 000009